(57)【要約】【課題】  利用者が購入を所望する商品を手に取ることなく商品情報を取得することができると共に、大量の商品の中から所望する商品を見つけ出すことができる商品情報取得装置を得る。【解決手段】  商品情報取得装置２０の商品情報取得装置制御部２２は、商品に取付けられて、商品の識別に用いられる商品情報を記憶したＩＣタグとの間で、通信装置１９を介する無線通信を行うことにより、ＩＣタグから商品情報を取得し、この取得した商品情報を表示装置１３に一覧表示し、この表示装置１３の一覧表示から商品情報が選択されることにより、メモリ２３内の商品情報保存テーブル３３に選択された商品情報を保存するようにした。【選択図】図２
2005338936.tif 000002
【特許請求の範囲】
【請求項１】
商品に配置され、上記商品の識別に用いられる商品情報を記憶した電子タグとの間の無線通信により、上記商品情報を取得する商品情報取得手段、この商品情報取得手段により取得された上記商品情報を一覧表示する表示手段、及び上記表示手段による一覧表示から商品情報が選択されることにより、上記選択された商品情報を保存する保存手段を備えたことを特徴とする商品情報取得装置。
【請求項２】
上記表示手段による一覧表示から商品情報が選択されることにより、上記商品情報の詳細情報が表示されることを特徴とする請求項１記載の商品情報取得装置。
【請求項３】
上記保存手段による商品情報の保存は、上記商品情報が重複しないように行われることを特徴とする請求項１または請求項２記載の商品情報取得装置。
【請求項４】
上記商品情報取得手段は、上記商品情報の取得に際して、上記保存手段に保存された商品情報を上記電子タグに送信することにより、上記送信された商品情報に該当する商品の電子タグからの商品情報のみを取得することを特徴とする請求項１〜請求項３のいずれかに記載の商品情報取得装置。
【請求項５】
上記商品情報取得手段は、上記商品情報の取得に際して、上記保存手段に保存された商品情報の一部を上記電子タグに送信することにより、上記送信された商品情報の一部に該当する商品の電子タグからの商品情報のみを取得することを特徴とする請求項１〜請求項３のいずれかに記載の商品情報取得装置。
【請求項６】
上記商品情報取得手段は、上記保存手段で保存された商品情報の内、不要なものを削除することを特徴とする請求項１〜請求項５のいずれかに記載の商品情報取得装置。
【請求項７】
上記商品情報取得手段は、他の商品情報取得装置の保存手段に保存された商品情報を取得することを特徴とする請求項１〜請求項６のいずれかに記載の商品情報取得装置。
【請求項８】
請求項１〜請求項７のいずれかに記載の商品情報取得装置を備えたことを特徴とする携帯端末。
【請求項９】
請求項１〜請求項７のいずれかに記載の商品情報取得装置を備え、この商品情報取得装置の商品情報取得手段と無線通信を行う電子タグが配置された商品は、品質保証期限を有する商品であり、上記商品情報取得手段は、上記電子タグから取得した商品情報により、上記品質保証期限に近づいた商品が判るように上記表示手段に表示させることを特徴とする冷蔵庫。
【発明の詳細な説明】
【技術分野】
【０００１】
この発明は、利用者が買い物をする際に、コンピューを用いて希望する商品を効率よく探し出せるようにした商品情報取得装置並びにこれを用いた携帯端末及び冷蔵庫に関するものである。
【背景技術】
【０００２】
従来の商品情報取得装置においては、商品に付加されているバーコード情報（即ち商品情報）をバーコード認識装置にて読取り、その情報を元に購入依頼を行なう方式等が提案されている。（特許文献１参照）
【０００３】
【特許文献１】特開２００３−３１６９７８号公報（第３〜５頁、図１）
【発明の開示】
【発明が解決しようとする課題】
【０００４】
従来の商品情報取得装置では、利用者は当該商品を手に取り、バーコード表示部分にバーコード認識装置を当てて商品情報を読取らねばならず、商品情報取得に手間がかかるという問題があった。
また、利用者の心理として、新たに購入する製品については現品を目で確かめたいということがあるが、従来の方法では商品管理サーバにその都度問い合わせを行なう必要があり、所望する商品を効率よく探し出せない場合が多かった。
【０００５】
この発明は、上記のような課題を解決するためになされたものであり、利用者が購入を所望する商品を手に取ることなく商品情報を取得することができると共に、大量の商品の中から所望する商品を見つけ出すことができる商品情報取得装置を得ることを第一の目的としている。
また、このような商品情報取得装置を備えた携帯端末を得ることを第二の目的にしている。
また、このような商品情報取得装置を備えた冷蔵庫を得ることを第三の目的にしている。
【課題を解決するための手段】
【０００６】
この発明に係わる商品情報取得装置においては、商品に配置され、商品の識別に用いられる商品情報を記憶した電子タグとの間の無線通信により、商品情報を取得する商品情報取得手段、この商品情報取得手段により取得された商品情報を一覧表示する表示手段、及び表示手段による一覧表示から商品情報が選択されることにより、選択された商品情報を保存する保存手段を備えたものである。
【発明の効果】
【０００７】
この発明は、以上説明したように、商品に配置され、商品の識別に用いられる商品情報を記憶した電子タグとの間の無線通信により、商品情報を取得する商品情報取得手段、この商品情報取得手段により取得された商品情報を一覧表示する表示手段、及び表示手段による一覧表示から商品情報が選択されることにより、選択された商品情報を保存する保存手段を備えたので、利用者の近くにある全ての商品の商品情報を無線通信により取得し、一覧表示することができるため、商品を探し回る必要がなくなる。
【発明を実施するための最良の形態】
【０００８】
実施の形態１．
以下、この発明の実施の形態１を図に基づいて説明する。
図１は、この発明の実施の形態１による商品情報取得システムを示す概略構成図である。
図１において、利用者が所持する携帯電話機１０（携帯端末）は、通常の移動電話機能を有すると共に、個々の商品５０Ａ、５０Ｂ、５０Ｃ等にそれぞれ取り付けられたＩＣタグ４０Ａ、４０Ｂ、４０Ｃ（電子タグ）等との無線通信６０により個々の商品情報を読取る商品情報取得装置を有する。
【０００９】
図２は、この発明の実施の形態１による携帯電話機を示す構成図であり、個々のＩＣタグ４０から情報を取得する商品情報取得装置２０を組み込んだ携帯電話機１０の機能構成を示している。
図２において、携帯電話機１０は、中央処理装置１１、操作装置１２、表示装置１３、スピーカ１４、マイク１５、アラーム装置１６、ＲＡＭ（Ｒａｎｄｏｍ  Ａｃｃｅｓｓ  Ｍｅｍｏｒｙ）１７、ＲＯＭ（Ｒｅａｄ  Ｏｎｌｙ  Ｍｅｍｏｒｙ）１８、通信装置１９、商品情報取得装置２０等の各機能部から構成され、各機能部はシステムバス２１により接続されている。
【００１０】
中央処理装置１１は、操作装置１２を介して入力される指示等に応じて所定のプログラムに基づいた処理を実行し、各機能部への指示やデータの転送等を行なう。具体的には、中央処理装置１１は、操作装置１２を介して入力される操作信号に応じて、ＲＯＭ１８内に格納された各種プログラムを読み出してＲＡＭ１７に展開し、読み出されたプログラムに基づく処理を実行し、処理結果を表示するための表示信号を表示装置１３に出力して、その表示信号に対応した表示情報を表示させる。
操作装置１２は、数値や文字の入力、或いは機能選択等に必要なボタンを備え、押下されたボタンの押下信号等を中央処理装置１１に出力する。
【００１１】
表示装置１３（表示手段）は、例えば、有機ＥＬ（Ｅｌｅｃｔｒｏ  Ｌｕｍｉｎｅｓｃｅｎｃｅ）やＬＣＤ（Ｌｉｑｕｉｄ  Ｃｒｙｓｔａｌ  Ｄｉｓｐｌａｙ）等で構成された表示装置であり、中央処理装置１１から入力される表示信号に基づいた各種画面を表示する。
スピーカ１４は、アラーム装置１６から出力されたアラーム音や、中央処理装置１１や通信装置１９から入力された音声信号に応じた音声（音を含む）等を出力する。また、マイク１５は、通話時等において取得した利用者の音声信号を、中央処理装置１１や通信装置１９へ出力する。
アラーム装置１６は、ブザー等で構成される音を出力する装置を備え、アラーム音をスピーカ１４に出力する。
【００１２】
ＲＡＭ１７は、中央処理装置１１が実行する各種プログラムや、これらプログラムの実行に係るデータ等を一時的に格納するメモリ領域を備える。
ＲＯＭ１８には、各種初期設定値や、ＩＰＬ（Ｉｎｉｔｉａｌ  Ｐｒｏｇｒａｍ  Ｌｏａｄｅｒ）プログラム等が格納される。中央処理装置１１は、携帯電話機１０の電源投入時にこのＩＰＬプログラムを実行することにより、携帯電話機１０の動作環境を設定する。また、ＲＯＭ１８には、携帯電話機１０の動作に係る各種処理プログラムや、携帯電話機１０の備える種々の機能を実現するためのプログラムやデータ等が格納される。
通信装置１９には、アンテナが接続されており、このアンテナを介して個々のＩＣタグ４０との間で無線通信６０を行なう。また、通話時等においては、受信した音声データに基づく音声信号を復元してスピーカ１４に出力するとともに、マイク１５において検出された音声信号に基づく音声データを基地局へ無線送信する。
【００１３】
商品情報取得装置２０は、個々のＩＣタグ４０との間で無線通信６０を行なう。商品情報取得装置２０は、商品情報取得装置制御部２２（商品情報取得手段）を備えており、ＩＣタグ通信プログラム３１や商品情報操作プログラム３２と商品情報保存テーブル３３（保存手段）とを格納したメモリ２３を有する。
【００１４】
図３は、この発明の実施の形態１による商品情報取得装置の商品情報取得装置制御部の処理を示すフローチャートであり、利用者の近くにあるすべての商品５０の商品情報を取得する処理を示している。
【００１５】
図４は、この発明の実施の形態１による商品情報取得装置の商品情報保存テーブルを示す図である。
図４には、図３の実行結果得られる商品情報として、商品名称、バーコード情報などの商品コード、サイズ、色、小売価格（定価）、製造元／生産者名、製造工場名／生産地名、販売元／集積所、販売ルート、製造年月日、品質保証期間、搬送履歴（搬送者、搬送日時）、利用者による最新更新日時、及び利用者による更新回数が含まれる。
【００１６】
次に、実施の形態１における商品情報取得装置２０の動作について図３に基づき、説明する。
商品情報取得装置制御部２２は、携帯電話機１０の１つの機能として実行されるものであり、携帯電話機１０の操作装置１２によって起動される。利用者は、操作装置１２の「新規情報取得」を操作する（ステップＳ１１）。商品情報取得装置制御部２２は、無線通信６０を通して個々のＩＣタグ４０に対して「検索情報なし」の設定で商品情報の送信要求を発信する（ステップＳ１２）。
【００１７】
個々のＩＣタグ４０は、この要求を受信し（ステップＳ１３）、個々のＩＣタグ４０が保持している商品情報を無線通信６０により、商品情報取得装置制御部２２に返信する（ステップＳ１４）。商品情報取得装置制御部２２は、個々のＩＣタグ４０から送られてきた商品情報を受け取る（ステップＳ１５）。商品情報取得装置制御部２２は、取得した商品情報で同一の情報をマージし（ステップＳ１６）、整理した結果を所定のフォーマットにしたがって表示装置１３に一覧表示する（ステップＳ１７）。さらに個別表示により当該商品の詳細情報を見ることもできる。
【００１８】
利用者が前述の手順で取得した商品情報の保存を所望する場合、以下の手順でこれを行なうことができる。即ち、利用者は、商品情報を表示装置１３で選択し（ステップＳ１８）、操作装置１２の「情報保存」を操作する（ステップＳ１９）。すでに同一情報が保存されている場合には、上書きするか否かの確認メッセージを表示するとともに、アラーム装置１６は、アラーム音をスピーカ１４に出力する（ステップＳ２０）。利用者は、処理の継続または中止を選択する（ステップＳ２１）。継続が選択された場合には商品情報は更新され（ステップＳ２２）、中止が選択された場合には商品情報は更新されない（ステップＳ２３）。
【００１９】
図４の商品情報取得装置２０の商品情報の保存テーブル３３は、利用者の近くにあるすべての商品５０の商品情報を取得する、上述の図３の商品情報取得処理の実行結果、保存される商品情報の例を示している。
【００２０】
実施の形態１によれば、携帯電話機１０に商品情報取得装置２０を内蔵することにより、携帯電話機１０に個々のＩＣタグ４０との無線通信機能を持たせることで、利用者の近くにあるすべての商品の商品情報を取得し、携帯電話機１０に一覧表示／個別表示することができるため、商品を探し回る必要がなくなり、利用者は効率よく買い物をすることができる。
さらに、取得した商品情報を保存することができるので、この情報を元に今後の購入計画時の参考とすることもできる。
【００２１】
実施の形態２．
図５は、この発明の実施の形態２による商品情報取得装置の商品情報取得装置制御部の処理を示すフローチャートである。
実施の形態２は、商品情報取得装置制御部２２のメモリ２３に保存してある以前取得した商品情報を利用して、同一商品を探し出す場合についてのものである。商品情報取得システム及び商品情報取得装置の構成は、図２と同じである。
【００２２】
以下、この発明の実施の形態２における商品情報取得装置２０の動作について、図５に基づいて説明する。
商品情報取得装置制御部２２は、携帯電話機１０の１つの機能として実行されるものであり、携帯電話機１０の操作装置１２によって起動される。利用者は、操作装置１２の「個別情報検索」を操作し（ステップＳ３１）、情報取得を所望する商品を表示装置１３に表示し、選択する（ステップＳ３２）。商品情報取得装置制御部２２は、無線通信６０により、個々のＩＣタグ４０に対して「個別情報あり」の設定で、前述の商品情報すべてを添付した商品情報の送信要求を発行する（ステップＳ３３）。
【００２３】
個々のＩＣタグ４０は、この要求を受信し（ステップＳ３４）、当該商品情報のすべてと同一の情報を保持している個々のＩＣタグ４０のみが保持している商品情報を、無線通信６０により商品情報取得装置制御部２２に返信する（ステップＳ３５）。商品情報取得装置制御部２２は、該当するＩＣタグ４０から送られてきた商品情報を受け取る（ステップＳ３６）。取得した商品情報で同一の情報をマージし（ステップＳ３７）、整理した結果を所定のフォーマットにしたがって表示装置１３に一覧表示する（ステップＳ３８）。さらに個別表示によりその商品の詳細情報を見ることもできる。
利用者が前述の手順で取得した商品情報の保存を所望する場合、実施の形態１と同様の手順でこれを行なうことができる。（ステップＳ３９〜Ｓ４４）
【００２４】
実施の形態２によれば、携帯電話機１０に商品情報取得装置２０を内蔵することにより、携帯電話機１０に個々のＩＣタグ４０との無線通信機能を持たせることで、利用者が操作装置１２で選択した検索情報で商品を検索することができ、利用者による店員に商品の有無の確認をする必要がなくなり、さらに店員が在庫の確認をする必要もなくなる。
【００２５】
実施の形態３．
図６は、この発明の実施の形態３による商品情報取得装置の商品情報取得装置制御部の処理を示すフローチャートである。
実施の形態３は、商品情報取得装置制御部２２のメモリ２３に保存してある以前取得した商品情報を部分的に利用して、同一製造元の商品、同一種類の商品、および同一価格帯の商品等一部の商品情報を共有する商品を探し出す場合についてのものである。商品情報取得システム及び商品情報取得装置の構成は、図２と同じである。
【００２６】
以下、この発明の実施の形態３における商品情報取得装置２０の動作について、図６に基づいて説明する。
商品情報取得装置制御部２２は、携帯電話機１０の１つの機能として実行されるものであり、携帯電話機１０の操作装置１２によって起動される。利用者は、操作装置１２の「近傍情報検索」を操作し（ステップＳ５１）、情報取得を所望する商品を表示装置１３に表示し、選択する（ステップＳ５２）。ここでの選択対象は、商品の全情報ではなく、一部分の情報である。商品情報取得装置制御部２２は、無線通信６０により個々のＩＣタグ４０に対して「近傍情報あり」の設定で、前述の商品情報の一部を添付した商品情報の送信要求を発行する（ステップＳ５３）。
【００２７】
個々のＩＣタグ４０は、この要求を受信し（ステップＳ５４）、当該個別情報の一部を含む情報を保持している個々のＩＣタグ４０のみが、保持している商品情報を無線通信６０により商品情報取得装置制御部２２に返信する（ステップＳ５５）。商品情報取得装置制御部２２は、該当するＩＣタグ４０から送られてきた商品情報を受け取る（ステップＳ５６）。取得した商品情報で同一の情報をマージし（ステップＳ５７）、整理した結果を所定のフォーマットにしたがって表示装置１３に一覧表示する（ステップＳ５８）。さらに個別表示により当該商品の詳細情報を見ることもできる。
利用者が前述の手順で取得した商品情報の保存を所望する場合、実施の形態１と同様の手順でこれを行なうことができる。（ステップＳ５９〜Ｓ６４）
【００２８】
実施の形態３によれば、携帯電話機１０に商品情報取得装置２０を内蔵することにより、携帯電話機１０に個々のＩＣタグ４０との無線通信機能を持たせることで、利用者が操作装置１２で選択した検索情報で商品を検索することができ、利用者は、店員に商品イメージを説明することなしに、自分が求めている商品を探し出すことができる。
【００２９】
実施の形態４．
図７は、この発明の実施の形態４による商品情報取得装置の商品情報取得装置制御部の処理を示すフローチャートである。
実施の形態４は、商品情報取得装置制御部２２のメモリ２３に保存してある以前取得した商品情報で不要になったものや、長期間利用されないものを利用者に明示し、削除を促す場合についてのものである。商品情報取得システム及び商品情報取得装置の構成は、図２と同じである。
【００３０】
以下、この発明の実施の形態４における商品情報取得装置２０の動作について、図７に基づいて説明する。
商品情報取得装置制御部２２は、携帯電話機１０の１つの機能として実行されるものであり、携帯電話機１０の操作装置１２によって起動される。利用者は、操作装置１２の「商品情報削除」を操作し（ステップＳ７１）、情報削除を所望する商品を表示装置１３に表示し、選択する（ステップＳ７２）。
【００３１】
一方、商品情報取得装置制御部２２は、起動時ごとに定期的にメモリ２３に保存してある商品情報の利用履歴をチェックする（ステップＳ７３）。商品情報取得装置制御部２２は、所定の期間に未アクセスの商品情報があれば、これを表示装置１３に表示する（ステップＳ７４）。
【００３２】
商品情報取得装置制御部２２は、削除するか否かの確認メッセージを表示するとともに、アラーム装置１６は、アラーム音をスピーカ１４に出力する（ステップＳ７５）。利用者は、処理の継続または中止を選択する（ステップＳ７６）。継続が選択された場合には商品情報は削除され（ステップＳ７７）、中止が選択された場合には、商品情報は削除されない（ステップＳ７８）。
【００３３】
実施の形態４によれば、携帯電話機１０に内臓されている商品情報取得装置２０において、商品情報は、適宜メンテナンスされるので、不要な情報による利用効率の低下を防止されるので、利用者は商品情報の取得を効率よく行なうことができる。
【００３４】
実施の形態５．
図８は、この発明の実施の形態５による商品情報取得システムを示す概略構成図である。
図８において、利用者が所持する携帯電話機１０Ａ、１０Ｂ、１０Ｃ等は、通常の移動電話機能を有すると共に、個々の商品５０Ａ、５０Ｂ、５０Ｃ等にそれぞれ取り付けられたＩＣタグ４０Ａ、４０Ｂ、４０Ｃ等との無線通信６０により個々の商品情報を読取る商品情報取得装置を有する。
図９は、この発明の実施の形態５による商品情報取得装置の商品情報取得装置制御部の処理を示すフローチャートである。
【００３５】
個々のＩＣタグ４０から情報を取得する商品情報取得装置２０を組み込んだ携帯電話機１０の機能構成については、図２と同じである。
実施の形態５は、複数の利用者（家族、同好会等）間で、各々が保有している商品情報の共有を図る場合についてのものである。
【００３６】
次に、この発明の実施の形態５における商品情報取得装置２０の動作について、図９に基づいて説明する。
商品情報取得装置制御部２２Ａは、携帯電話機１０Ａの１つの機能として実行されるものであり、携帯電話機１０Ａの操作装置１２Ａによって起動される。利用者は操作装置１２Ａの「商品情報受信」を操作する（ステップＳ８１）。
商品情報取得装置制御部２２Ｂは、携帯電話機１０Ｂの１つの機能として実行されるものであり、携帯電話機１０Ｂの操作装置１２Ｂによって起動される。利用者は操作装置１２Ｂの「商品情報送信」を操作し（ステップＳ８２）、情報共有を所望する商品を表示装置１３Ｂに表示し、選択する（ステップＳ８３）。
【００３７】
商品情報取得装置制御部２２Ｂは、選択された商品情報を、通信装置１９Ｂから発信する（ステップＳ８４）。携帯電話機１０Ａの商品情報取得装置制御部２２Ａは、無線通信６０を介して、この商品情報を通信装置１９Ａで受信する（ステップＳ８５）。
すでに同一情報が保存されている場合には、上書きするか否かの確認メッセージを表示するとともに、アラーム装置１６Ａは、アラーム音をスピーカ１４Ａに出力する（ステップＳ８６）。利用者は、処理の継続または中止を選択する（ステップＳ８７）。継続が選択された場合には、商品情報は更新され（ステップＳ８８）、中止が選択された場合には商品情報は更新されない（ステップＳ８９）。
【００３８】
実施の形態５によれば、携帯電話機１０Ｂに内臓されている商品情報取得装置２０Ｂのメモリ２３Ｂに保存してある商品情報を、携帯電話機１０Ａに内臓されている商品情報取得装置２０Ａのメモリ２３Ａに移すことができるため、利用者の家族間や同好会メンバー間での商品情報の共有化を実現することができ、商品購入を効率的に行なうことが可能となる。
【００３９】
実施の形態６．
図１０は、この発明の実施の形態６による商品情報取得システムを示す概略構成図である。
図１０において、利用者が所持する冷凍庫／冷蔵庫１００（冷蔵庫：冷凍庫または冷凍冷蔵庫を含む）は、通常の冷凍・冷蔵機能を有すると共に、個々の商品５０Ａ、５０Ｂ、５０Ｃ等にそれぞれ取り付けられたＩＣタグ４０Ａ、４０Ｂ、４０Ｃ等との無線通信６０により、個々の商品情報を読取る商品情報取得装置を有する。
【００４０】
図１１は、この発明の実施の形態６による冷蔵庫を示す構成図であり、個々のＩＣタグ４０から情報を取得する商品情報取得装置２０を組み込んだ冷凍庫／冷蔵庫１００の機能構成についてのものである。
図１１において、冷凍庫／冷蔵庫１００は、中央処理装置１０１、操作装置１０２、表示装置１０３、アラーム装置１０６、ＲＡＭ１０７、ＲＯＭ１０８、通信装置１０９、商品情報取得装置２０等の各機能部から構成され、各機能部はシステムバス１１１により接続されている。
各機能部は、それぞれ図２の中央処理装置１１、操作装置１２、表示装置１３、アラーム装置１６、ＲＡＭ１７、ＲＯＭ１８、通信装置１９、商品情報取得装置２０と同様のものである。
図１２は、この発明の実施の形態６による商品情報取得装置の商品情報取得装置制御部の処理を示すフローチャートである。
【００４１】
次に、この発明の実施の形態６における商品情報取得装置２０の動作について、図１２に基づいて説明する。
冷凍庫／冷蔵庫１００に保存される商品は、概して品質保証期限に留意を要するものが多い。しかるに纏め買いの結果、保存していることを忘れて期限切れになってしまうこともある。これら商品の品質期限切れを防ぐ目的に利用される商品情報取得処理が、商品情報取得装置制御部２２により、図１２のように実行される。
【００４２】
商品情報取得装置制御部２２は、冷凍庫／冷蔵庫１００の１つの機能として実行されるものであり、常時起動状態である。
商品情報取得装置制御部２２は、毎日、無線通信６０を通して冷凍庫／冷蔵庫１００に保存されている個々のＩＣタグ４０に対して商品情報の送信要求を発信する（ステップＳ９１）。
【００４３】
個々のＩＣタグ４０は、この要求を受信し（ステップＳ９２）、個々のＩＣタグ４０が保持している商品情報を無線通信６０により、商品情報取得装置制御部２２に返信する（ステップＳ９３）。商品情報取得装置制御部２２は、個々のＩＣタグ４０から送られてきた商品情報を受け取る（ステップＳ９４）。商品情報取得装置制御部２２は、取得した商品情報で同一の情報をマージし（ステップＳ９５）、整理した結果を所定のフォーマットにしたがって表示装置１３に一覧表示する（ステップＳ９６）。
商品情報取得装置制御部２２は、一覧表示した商品の中で、品質保証期限に近づいてきている商品に関しては、期限や数量を利用者が注意するように、表示装置１０３でフリッカさせるとともに（ステップＳ９７）、アラーム装置１０６は、ブザー音の出力等を行なう（ステップＳ９８）。
【００４４】
実施の形態６によれば、冷凍庫／冷蔵庫１００に内臓されている商品情報取得装置２０を使って、定期的に個々の商品の品質保証期限を事前チェックするため、期限切れの商品を減らすことができ、結果として商品の効率的な購入を実現することが可能となる。
【図面の簡単な説明】
【００４５】
【図１】この発明の実施の形態１による商品情報取得システムを示す概略構成図である。
【図２】この発明の実施の形態１による携帯電話機を示す構成図である。
【図３】この発明の実施の形態１による商品情報取得装置の商品情報取得装置制御部の処理を示すフローチャートである。
【図４】この発明の実施の形態１による商品情報取得装置の商品情報保存テーブルを示す図である。
【図５】この発明の実施の形態２による商品情報取得装置の商品情報取得装置制御部の処理を示すフローチャートである。
【図６】この発明の実施の形態３による商品情報取得装置の商品情報取得装置制御部の処理を示すフローチャートである。
【図７】この発明の実施の形態４による商品情報取得装置の商品情報取得装置制御部の処理を示すフローチャートである。
【図８】この発明の実施の形態５による商品情報取得システムを示す概略構成図である。
【図９】この発明の実施の形態５による商品情報取得装置の商品情報取得装置制御部の処理を示すフローチャートである。
【図１０】この発明の実施の形態６による商品情報取得システムを示す概略構成図である。
【図１１】この発明の実施の形態６による冷蔵庫を示す構成図である。
【図１２】この発明の実施の形態６による商品情報取得装置の商品情報取得装置制御部の処理を示すフローチャートである。
【符号の説明】
【００４６】
１０，１０Ａ，１０Ｂ，１０Ｃ  携帯電話機
１１，１０１  中央処理装置
１２，１０２  操作装置
１３，１０３  表示装置
１４  スピーカ
１５  マイク
１６，１０６  アラーム装置
１７，１０７  ＲＡＭ（Ｒａｎｄｏｍ  Ａｃｃｅｓｓ  Ｍｅｍｏｒｙ）
１８，１０８  ＲＯＭ（Ｒｅａｄ  Ｏｎｌｙ  Ｍｅｍｏｒｙ）
１９，１０９  通信装置
２０  商品情報取得装置
２１，１１１  システムバス
２２  商品情報取得装置制御部
２３  商品情報取得装置メモリ
３１  ＩＣタグ通信プログラム
３２  商品情報操作プログラム
３３  商品情報保存テーブル
４０Ａ，４０Ｂ、４０Ｃ  ＩＣタグ
５０Ａ，５０Ｂ，５０Ｃ  商品
６０  無線通信
１００  冷凍庫／冷蔵庫
【図１】
2005338936.tif 000003
【図２】
2005338936.tif 000004
【図３】
2005338936.tif 000005
【図４】
2005338936.tif 000006
【図５】
2005338936.tif 000007
【図６】
2005338936.tif 000008
【図７】
2005338936.tif 000009
【図８】
2005338936.tif 000010
【図９】
2005338936.tif 000011
【図１０】
2005338936.tif 000012
【図１１】
2005338936.tif 000013
【図１２】
2005338936.tif 000014